(57)【要約】【課題】従来にない、厳かな雰囲気で開閉する扉を有する仏壇を提供する。【解決手段】仏壇１０は、所定の開口部１５を有する仏壇本体１１と、開口部１５を閉じるための一対の扉１３ａ，１３ｂと、一対の扉１３ａ，１３ｂを開閉するために扉をガイドするガイド溝とを含む。ガイド溝は、開口部１５に沿った直線状の第１ガイド溝と、第１ガイド溝に対して交わる方向に延在する第２ガイド部とを含む。一対の扉１３ａ，１３ｂは一体としてガイド溝に沿って移動装置２０で移動される。【選択図】図１
2009061158.tif 000002
【特許請求の範囲】
【請求項１】
所定の開口部を有する仏壇本体と
前記開口部を閉じるための一対の扉とを含み、
前記扉は、前記一対の扉のそれぞれの表面が外面に向かって並列に位置して前記開口部を閉じている第１の状態と、
前記一対の扉のそれぞれの表面が対向するように位置して前記開口部を開いている第２の状態と、
前記一対の扉を前記第１の状態から第２の状態へ移動させる移動装置とを含む、仏壇。
【請求項２】
前記扉は矩形状であり、上下方向に延在する第１および第２の辺と、前記第１および第２の辺に直交する第３および第４の辺とを有し、前記扉が閉じている状態では、前記一対の扉のそれぞれの前記第１の辺が隣接するように位置し、
前記移動装置は、前記扉を前記第１の状態から前記第２の状態へ移動させるとき、前記第２の辺が前記扉の延在する方向から交わる方向に移動し、前記第１の辺を、前記第２の辺の後を追うように移動させる、請求項１に記載の仏壇。
【請求項３】
前記仏壇本体の上下には天井部と床部とが設けられ、
前記天井部と床部にはそれぞれガイド溝が設けられ、
前記扉の上下両端部にはそれぞれ前記ガイド溝に係合する係合部材が設けられ、
前記移動装置は前記係合部材を前記ガイド溝に沿って移動させる、請求項１または２に記載の仏壇。
【請求項４】
前記ガイド溝は前記開口部近傍では前記扉の延在する方向に沿って直線状に延在し、前記開口部から離れた位置では前記直線に交わる方向に延在する、請求項３に記載の仏壇。
【請求項５】
前記扉はその上端部に設けられた保持部に保持され、前記保持部と前記天井部との隙間は調整可能である、請求項３に記載の仏壇。
【請求項６】
前記一対の扉のそれぞれに設けられた前記係合部材は接続部材を介して前記移動装置に接続され、
前記接続部材は前記扉を着脱自在に保持する、請求項３から５のいずれかに記載の仏壇。
【請求項７】
所定の開口部を有する仏壇本体と
前記開口部を閉じるための一対の扉と、
前記一対の扉を開閉するために前記扉をガイドするガイド溝とを含み、
前記ガイド溝は、前記開口部に沿った直線状の第１ガイド溝と、前記第１ガイド溝に対して交わる方向に延在する第２ガイド溝とを含み、
前記一対の扉を一体として前記ガイド溝に沿って移動させる移動装置とを含む、仏壇。
【発明の詳細な説明】
【技術分野】
【０００１】
この発明は仏壇に関し、特に、従来にない新規な動きを行う扉を有する仏壇に関する。
【背景技術】
【０００２】
従来の仏壇における、厨子等が収納される部分を開閉する扉がたとえば、特開２００４−３５８０１０号公報（特許文献１）や特開２００４−２９０６３８号公報（特許文献２）に開示されている。特許文献１によれば仏壇の扉は観音開きされる。一方、特許文献２によれば仏壇の扉は横方向にスライドされて開閉される。
【特許文献１】特開２００４−３５８０１０号公報（要約）
【特許文献２】特開２００４−２９０６３８号公報（要約）
【発明の開示】
【発明が解決しようとする課題】
【０００３】
従来の仏壇の扉は上記のように構成されていた。扉は、観音開きか、または、横方向へスライドするかのいずれかの方法で開閉がなされていたため、扉の動きが画一的で、仏壇に必要な厳かな雰囲気が得られないという問題があった。
【０００４】
また、観音開きのような開き方では、扉の開閉時に扉が移動するために広い面積が必要で扉の移動部分には物が置けないという問題や、横方向へスライドする構成では、スライドした扉を収納するための領域が扉の両端部に必要となるため、その分、横方向に不要な領域が必要になるという問題があった。
【０００５】
この発明は、上記のような問題点を解消するためになされたもので、従来にない、厳かな雰囲気で開閉する扉を有する仏壇を提供することを目的とする。
【０００６】
この発明の他の目的は、不要な領域を極力少なくして扉の開閉が可能な扉を有する仏壇を提供することである。
【課題を解決するための手段】
【０００７】
この発明に係る仏壇は、所定の開口部を有する仏壇本体と、開口部を閉じるための一対の扉とを含み、扉は、一対の扉のそれぞれの表面が外面に向かって並列に位置して開口部を閉じている第１の状態と、一対の扉のそれぞれの表面が対向するように位置して開口部を開いている第２の状態と、一対の扉を第１の状態から第２の状態へ移動させる移動装置とを含む。
【０００８】
扉は、一対の扉のそれぞれの表面が外面に向かって並列に位置して開口部を閉じている状態から、扉のそれぞれの表面が対向するように位置して開口部を開いている状態まで移動されるため、従来にない、厳かな雰囲気で開閉する扉を有する仏壇を提供できる。
【０００９】
好ましくは、扉は矩形状であり、上下方向に延在する第１および第２の辺と、第１および第２の辺に直交する第３および第４の辺とを有し、扉が閉じている状態では、一対の扉のそれぞれの第１の辺が隣接するように位置し、移動装置は、扉を第１の状態から第２の状態へ移動させるとき、第２の辺が扉が並列して延在する方向から交わる方向に移動し、第１の辺を、第２の辺の後を追うように移動させる。
【００１０】
さらに好ましくは、仏壇本体の上下には天井部と床部とが設けられ、天井部と床部にはそれぞれガイド溝が設けられ、扉の上下両端部にはそれぞれガイド溝に係合する係合部材が設けられ、移動装置は係合部材をガイド溝に沿って移動させる。
【００１１】
ガイド溝は開口部近傍では扉の延在する方向に沿って直線状に延在し、開口部から離れた位置では直線に交わる方向に延在するのが好ましい。
【００１２】
なお、扉はその上端部に設けられた保持部に保持され、保持部と天井部との隙間は調製可能であってもよい。
【００１３】
また、一対の扉のそれぞれに設けられた係合部材は接続部材を介して移動装置に接続され、接続部材は扉を着脱自在に保持してもよい。
【００１４】
この発明の他の局面においては、仏壇は、所定の開口部を有する仏壇本体と、開口部を閉じるための一対の扉と、一対の扉を開閉するために扉をガイドするガイド溝とを含む。ガイド溝は、開口部に沿った直線状の第１ガイド溝と、第１ガイド溝に対して交わる方向に延在する第２ガイド溝とを含み、一対の扉を一体としてガイド溝に沿って移動させる移動装置とを含む。
【００１５】
一対の扉全体が実質的にガイド溝に沿って移動されるため、扉の開閉に必要な面積は小さくてすむ。
【００１６】
その結果、不要な領域を極力少なくして開閉が可能な扉を有する仏壇を提供できる。
【発明を実施するための最良の形態】
【００１７】
以下、この発明の一実施の形態を、図面を参照して説明する。図１はこの発明の一実施の形態に係る仏壇を示す正面図である。図１（Ａ）は一対の扉で開口部を閉じた状態を示す図であり、図１（Ｂ）は扉を開いた状態を示す図である。
【００１８】
図１を参照して、仏壇１０は、仏壇本体１１と仏壇本体１１の背面に設けられた開口部１５を開閉するための一対の扉１３ａ，１３ｂと、一対の扉１３ａ，１３ｂを開閉するための移動装置２０とを含む。なお、ここでは、仏壇本体１１としては、開口部１５を有する背面までを示し、その後部に存在する備品等については省略している。
【００１９】
仏壇本体１１は全体として直方体形状であり、左右の側板１１ａ，１１ｂと、側板１１ａ，１１ｂの上下両端部に設けられた天井板（天井部）１２ａおよび底板１２ｃと、天井板１２ａおよび底板１２ｃ間において底板１２ｃ側に設けられた祭壇板（床部）１２ｂとを含み、裏面側には中央部に設けられた開口部１５を挟んで背板１４ａ，１４ｂが設けられている。なお、開口部１５は天井板１２ａと祭壇板１２ｂとの間にのみ設けられている。
【００２０】
天井板１２ａの上には一対の扉１３ａ，１３ｂを開閉するための移動装置２０が設けられている。移動装置２０は、天井板１２ａの上部においてその左右両端部近傍に設けられた駆動プーリ２１ａおよび従動プーリ２１ｂと、駆動プーリ２１ａおよび従動プーリ２１ｂに係合されたチェーン２２と、駆動プーリ２１ａを駆動するためのモータ２３とを含む。チェーン２２の上部の所定の位置には移動片２４が設けられ、下部の所定の位置には移動片２５が設けられる。移動片２４，２５はそれぞれ接続部材２６，２７によって扉１３ａ，１３ｂに接続されている。移動片２４，２５はチェーン２２の移動に伴って移動するが、それぞれの取付けられた位置が異なるため、チェーン２２を図中矢印方向へ移動すると、扉１３ａは矢印方向へ移動し、扉１３ｂは逆方向に移動する。このようにして、一対の扉１３ａ，１３ｂはそれぞれ逆方向に移動して扉が開く。
【００２１】
なお、接続部材２６，２７はそれぞれ、相互に磁性を用いて着脱可能な２つの部材からなる磁性接続部２６ａ，２７ａを有し、それによって、扉１３ａ，１３ｂが何らかの理由で停止したときにでも、モータ２３にその負荷がかからないように移動片２４，２５と扉１３ａ，１３ｂとの接続が解除されるようになっている。
【００２２】
また、扉１３ａ，１３ｂは矩形状の平板であり、他方側の扉に隣接する辺（第１の辺）とそれに対向する外側の辺（第２の辺）、およびこれらに直交する上下に設けられた辺（第３および第４辺）を有している。
【００２３】
図２（Ａ），（Ｂ）は図１において、矢印ＩＩＡ、ＩＩＢで示す部分で切断したときの断面図である。図２（Ａ）、（Ｂ）を参照して開口部１５が閉じられているときは、一対の扉１３ａ，１３ｂはそれぞれの表面が外面（図中手前側）に向かって並列に位置している（第１の状態）。この状態から一対の扉１３ａ，１３ｂは図２（Ａ）において矢印で示す方向にそれぞれの扉１３ａ，１３ｂが移動して、最終的に、図２（Ｂ）に示すように、一対の扉１３ａ，１３ｂは、それぞれの表面が対向するように位置して開口部１５を開ける（第２の状態）。この移動は、上記した移動装置２０によって行われる。
【００２４】
なお、一対の扉１３ａ，１３ｂは祭壇板１２ｂに設けられた一対の下部ガイド溝３２ａ，３２ｂと、図示のない上部ガイド溝に沿って移動される。それぞれのガイド溝は開口部１５に沿った直線状ガイド溝（第１ガイド溝）３５ａ，３５ｂと、直線状ガイド溝３５ａ，３５ｂに交わる方向に延在する傾斜ガイド溝（第２ガイド溝）３６ａ，３６ｂとを含み、両ガイド溝３５ａ，３５ｂ，３６ａ，３６ｂは曲線状のガイド溝で接続されている。
【００２５】
次に、天井板１２ａに設けられる上部ガイド溝について説明する。上部ガイド溝も基本的に下部ガイド溝３２と同一形状である。図３（Ａ）は上部ガイド溝のうちの一方の上部ガイド溝３１ｂを示す平面図であり、図３（Ｂ）は図３（Ａ）において、矢印Ｂ−Ｂで示す部分の断面図である。なお、図３は、図２とは逆方向から見た図になっているため、図２とは上下が逆になっている。図３を参照して、上部ガイド溝３１ｂは、幅の広い第１上部ガイド溝３３ｂとその下部に設けられた幅の狭い第２上部ガイド溝３４ｂとを含む。
【００２６】
次に、上部および下部ガイド溝３１，３２に沿って移動される扉の上下ガイド溝３１，３２に対する取り付け状態について説明する。図４は一方の扉１３ｂを上下のガイド溝３１，３２に沿って取付けた状態を示す図である。図４（Ａ）は図２（Ａ）において矢印ＩＶで示す方向から見た場合の矢視図であり、第２上部ガイド溝３４の中心を通る面で切った状態を示す。図４（Ｂ）は図４（Ａ）において、矢印Ｂ−Ｂで示す部分の矢視図である。
【００２７】
図４（Ａ），（Ｂ）を参照して、扉１３ｂの上端部には断面Ｌ字型の保持部１６が設けられ、この保持部１６の横方向両端部近傍に上部ガイド溝３１に係合する係合部材４０ａ，４０ｂが設けられている。係合部材４０ａがもう一方の扉１３ａ側（開口部１５の中心側）に設けられ、係合部材４０ｂがその逆方向に設けられている。係合部材４０ａと４０ｂとは、後に説明する上部ガイド部の向きを除いて基本的に同じ構成である。
【００２８】
係合部材４０ａは、保持部１６に設けられ扉１３ｂの上端の中央部から垂直上方向に延在する支持棒４２と、支持棒４２の上端部近傍に設けられ、一対の第１ローラ４１，４１を水平方向の軸を中心として回転自在に保持するローラ保持部４３と、ローラ保持部４３の下方に設けられ、第１上部ガイド溝３３に沿って支持棒４２を中心として回転しながら移動可能な第２ローラ４４とを含む。保持部１６には天井板１２ａと扉１３ｂの上端部との隙間（図中ａで示す）を調整するための調整板１８が設けられている。調整板１８の長手方向の両端部近傍には、水平方向の軸を中心として回転可能な第３ローラが設けられ、調整板１８が天井板に対して滑らかに移動するように構成されている。なお、調整板１８の位置の調整は調整板１８に設けられた位置調整部材１７によって行う。ここでは、位置調整部材１７の位置調整は、長孔と、位置決めネジとで行われる。
【００２９】
なお、係合部材４０ａの支持棒４２が接続部材２７に接続されて扉１３ｂが移動する。
【００３０】
一対の第１ローラ４１，４１の間隔は第１上部ガイド溝３３の幅寸法よりも大きく、それによって、第１ローラ４１，４１は天井板１２ａ上をガイド溝３１に沿って滑らかに移動する。
【００３１】
扉１３ｂの下端部にも上端部と同様に断面Ｌ字型の部材４８が設けられている。部材４８には、その長手方向の両端部近傍に扉１３ｂの下端部の幅方向中心から垂直下方に延びる一対の突起部１８ａ，１８ｂが設けられ、これらによって、扉１３ｂの下端部は下部ガイド溝３２によってガイドされる。
【００３２】
係合部材４０ａのローラ保持部４３ａはもう一方のローラ保持部４３ｂ側に突出した突出部４５を有する。突出部４５の先端部近傍には下方に向かって棒状部材４６を介して上部ガイド部４７が設けられている。上部ガイド部４７は、第２上部ガイド溝３４に沿って支持棒４２を先導する。なお、もう一方側のローラ保持部４３ｂも基本的に同じ構成ではあるが、上記したように、上部ガイド部４７の向きは逆になっている。
【００３３】
以上の構成によって、係合部材４０ａ，４０ｂは上下ガイド溝３１，３２に沿って滑らかに移動し、その結果、一対の扉１３ａ，１３ｂは開口部１５を閉じた状態から開いた状態に、また、その逆方向に滑らかに移動する。
【００３４】
また、天井板１２ａと扉１３ｂの上端部との隙間を調整するための調整板１８を設けたため、これの位置を調整することによって扉１３ｂの下端部も確実に下部ガイド溝３２に沿って移動し、扉１３が傾斜等することはなく、スムーズな扉１３の開閉が可能になる。
【００３５】
なお、扉１３ａも基本的に扉１３ｂと同様の構成を有している。
【００３６】
次に、上部ガイド溝３１および下部ガイド溝３２に沿って移動される扉１３の移動について説明する。図５は図３および図４に示した上部ガイド溝３１ｂに沿って一方の扉１３ｂが移動する状態を順に示す図である。扉１３ｂは、開口部１５を閉じている時は位置１３ｂ１に位置する。これが、位置１３ｂ２、１３ｂ３で示す順に移動し、最終的に位置１３ｂ４に位置する。
【００３７】
ここでは、あわせて、それぞれの位置における支持棒４２ａ，４２ｂの位置を示している。なお、支持棒４２ａは係合部材４０ａに含まれ、支持棒４２ｂは係合部材４０ｂに含まれる。扉１３ｂが開口部１５を閉じている（位置１３ｂ１に位置する）ときの支持棒４２の位置は４２ａ１，４２ｂ１であり、これが、４２ａ２，４２ｂ２、４２ａ３，４２ｂ３で示す順に移動し、最終的に位置４２ａ４，４２ｂ４に位置する。図５に示すように、それぞれの位置は、上下のガイド溝３１，３２の中心線３０上に存在する。参考までに、扉１３ｂの閉位置における第２ローラ４４ａ（係合部材４０ａに含まれる）、および、開位置における第２ローラ４４ｂ（係合部材４０ｂに含まれる）も図中点線で示している。
【００３８】
図５を参照して、一対の扉１３ａ，１３ｂが開閉されるときのそれぞれの扉１３ａ，１３ｂはその表面が外面に向かって並列に位置して開口部を閉じている状態からそれぞれの表面が対向するように元の向きに対してほぼ直交するような位置にある状態まで移動する。すなわち、一対の扉１３ａ，１３ｂの動きは従来のような画一的な動きとは異なり、非常に厳かな感じで開口部１５が登場する。また、図に示すように、それぞれの扉１３ｂの開閉時に必要な投影面積は、扉１３ｂが閉状態における開口部１５の中央部側の先端部の位置４２ａ１と、開状態における先端部の位置４２ａ４と、開状態における後端部の位置４２ｂ４の３点で構成される三角形の面積よりも小さいため、祭壇板１２ｂの上において扉の開閉を邪魔することのない大きな空間が得られる。
【００３９】
その結果、荘厳で且つスペースを有効活用可能な動きをする扉を有する仏壇が提供できる。
【００４０】
なお、ここでは、扉の開閉に必要なスペースのみを見込んだ場合の祭壇板１２ｂの輪郭４９も合わせて表示している。
【００４１】
なお、上記実施の形態においては、扉を開閉するための駆動機構として、２つのローラとそれに係合したチェーンを用いた場合について説明したが、これに限らず、リンク機構等の任意の構成を用いて扉の開閉を行ってもよい。
【００４２】
また、上記実施の形態においては、扉が開状態においては、正面側が開いた「ハ」の字型で扉が停止して両側の扉の正面側が対向する場合について説明したが、これに限らず、閉状態に対して直交する位状態まで扉を移動させるようにしてもよい。
【００４３】
また、上記実施の形態においては、上下のガイド溝を左右で２分割する場合について説明したが、これに限らず、両者を連続させてもよい。
【００４４】
また、上記実施の形態においては、仏壇とその扉の要部のみを図示したが、これに限らず、移動装置等を覆うためのカバー等を設けてもよい。
【００４５】
また、上記実施の形態においては、扉が矩形状の平板である場合について説明したが、これに限らず、中央部が厚く、周辺部が薄くなるよう場所によって厚さが異なってもよいし、四隅や四辺の端部にＲや面取りが設けられていてもよい。
【００４６】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４７】
【図１】この発明の一実施の形態に係る仏壇を示す正面図である。
【図２】図１において、矢印ＩＩＡ-ＩＩＡおよび矢印ＩＩＢ-ＩＩＢで示す部分の断面図である。
【図３】上部ガイド溝を示す平面図である。
【図４】扉と上下ガイド溝との係合関係を示す図である。
【図５】扉が閉状態から開状態へ変化する状態を順に示す図である。
【符号の説明】
【００４８】
１０  仏壇、１１  仏壇本体１１、１２ａ  天井板、１２ｂ  祭壇板、１２ｃ  底板、１３  扉、１４  背板、１５  開口部、２０  移動装置、２１  プーリ、２２  チェーン、２３  モータ、２４，２５  移動片、２６，２７  接続部材。
【図１】
2009061158.tif 000003
【図２】
2009061158.tif 000004
【図３】
2009061158.tif 000005
【図４】
2009061158.tif 000006
【図５】
2009061158.tif 000007